(57)【特許請求の範囲】
【請求項１】
スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口１ｍに固定する接続筒部材２と、
前記接続筒部材２の上半部２ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２に外嵌された環状ストッパー４であって、その内周面から内向けに相互に対向する位置に突設された２個の係止爪４１が、接続筒部材２の上半部２ｕに位置する係止用透孔２ｃに嵌入係止された環状ストッパー４と、
を備え、
前記アクチュエーター３の基筒部３ｂを、環状ストッパー４から突設された係止爪４１が、接続筒部材２の係止用透孔２ｃを介して内側へ貫通した部分で支承して、前記アクチュエーター３の降下を阻止した状態であり、
前記流体容器１に収容されている流体を排出する際には、
前記環状ストッパー４の係止爪４１が、接続筒部材２の係止用透孔２ｃから抜出る方向に移動させて、
前記環状ストッパー４をアクチュエーター３側へ移動させることにより、アクチュエーター３のフランジ部３ｆの下面に当接した状態で、環状ストッパー４を脱離状態に仮固定し、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、アクチュエーター３を流体容器１側に押し下げることによって、環状ストッパー４の係止爪４１が、接続筒部材２の上半部２ｕに位置する係止用透孔２ｃに再び嵌入係止された状態となるように構成されていることを特徴とするストッパー機構。
【請求項２】
前記環状ストッパー４が、略楕円形であって、環状ストッパー４を長径線上に押し付け
ることによって、環状ストッパー４の係止爪４１が、接続筒部材２の係止用透孔２ｃから抜出る方向に移動させるように構成されていることを特徴とする請求項１に記載のストッパー機構。
【請求項３】
前記接続筒部材２の係止爪４１の外側に、脱離用摘み４２が設けられ、脱離用摘み４２を外側へ引拡げることによって、環状ストッパー４の係止爪４１が、接続筒部材２の係止用透孔２ｃから抜出る方向に移動させるように構成されていることを特徴とする請求項１から２のいずれかに記載のストッパー機構。
【請求項４】
前記環状ストッパー４が、紙クリップ型であって、鈎型に曲げられた２部分をそれぞれ分離する側へ開くことによって、環状ストッパー４の係止爪４１が、接続筒部材２の係止用透孔２ｃから抜出る方向に移動させるように構成されていることを特徴とする請求項１に記載のストッパー機構。
【請求項５】
スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口１ｍに固定する接続筒部材２ｖ１と、
前記接続筒部材２ｖ１の上半部２ｖ１ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２ｖ１とアクチュエーター３のフランジ部３ｆとを覆う様に嵌装されている筒型ストッパー５と、
を備え、
前記筒型ストッパー５の内壁下端域５ｄから中心軸向けに突設された突部５ｂを備え、突部５ｂに接続筒部材２ｖ１の下端２ｖ１ｄｅを載せる様に係合することにより、上方へ引抜ける事態を防止した状態であり、
前記筒型ストッパー５には、
筒型ストッパー５の内壁下端域５ｄから外側向けに突設された脱離用摘み５１と、前記脱離用摘み５１の両側に形成された２本の切込み５２と、切込み５２に挟まれた切込み脱離用舌片５３とを備え、
前記流体容器１に収容されている流体を排出する際には、
前記脱離用摘み５１と脱離用舌片５３を外側へ引出して、その内壁下端５ｄにおける内壁下端突部５ｂと接続筒部材２ｖ１の下端２ｖ１ｄｅとの係合関係を外れた状態として、
前記筒型ストッパー５を、アクチュエーター３と一体的に上方に引上げた状態とし、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、アクチュエーター３を流体容器１側に押し下げて、筒型ストッパー５内壁下端の突部５ｂが、接続筒部材２ｖ１の下端２ｖ１ｄｅを載せる形で再び係合された状態となるように構成されていることを特徴とするストッパー機構。
【請求項６】
スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口
１ｍに固定する接続筒部材２ｖ２と、
前記接続筒部材２ｖ２の上半部２ｖ２ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２ｖ２に外嵌された環状ストッパー４ｖと、
を備え、
前記接続筒部材２ｖ２外壁から突設された係止爪２１ｖ２が、環状ストッパー４ｖの対向する位置に穿設された係止用透孔又は係止用凹陥４３へ嵌入して、環状ストッパー４ｖが、接続筒部材２ｖ２に固定され、
前記環状ストッパー４ｖの頂縁４ｖｔから上方向けに突設された誤作動防止突部４ｖｕを備えており、アクチュエーター３の降下を阻止した状態であり、
前記流体容器１に収容されている流体を排出する際には、
前記接続筒部材２ｖ２の係止爪２１ｖ２が、環状ストッパー４ｖの係止用透孔又は係止用凹陥４３から抜出る方向に移動させて、
前記環状ストッパー４ｖを流体容器１側へ移動させることにより、環状ストッパー４を脱離状態に仮固定し、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、環状ストッパー４ｖをアクチュエーター３側に押し上げることによって、接続筒部材２ｖ２の係止爪２１ｖ２が、環状ストッパー４ｖの係止用透孔又は係止用凹陥４３に再び嵌入係止された状態となるように構成されていることを特徴とするストッパー機構。
【請求項７】
前記環状ストッパー４ｖが、略楕円形であって、環状ストッパー４ｖを長径線上に押し付けることによって、環状ストッパー４の係止用透孔又は係止用凹陥４３が、接続筒部材２ｖ２の係止爪２１ｖ２から抜出る方向に移動させるように構成されていることを特徴とする請求項６に記載のストッパー機構。
【発明の詳細な説明】
【０００１】
【発明の属する技術分野】
本発明は各種の流体排出機能を備えた容器の中でも特に、スプレーヘッドを備えたスプレー容器に間欠噴射能力を付与するストッパー機構に関する。
【０００２】
【従来の技術】
従来のスプレー容器においては、間欠スプレー能力を実現する為に実用的と評価され得るものは今以て提供されていない。従来用いられて来た間欠能力付与機能とは例えば、重力作動弁の様に流体容器中の内圧低下に応じて重い弁体が流通路を閉鎖する間欠弁、スプリング作動弁の様に流体容器の内圧によって開かされていた流通路が内圧低下に伴ってスプリングが流通路を押圧閉鎖する間欠弁又は差圧作動弁の様に流体容器中の内圧によって弁体が押圧変形されて開かれた流通路が内圧低下に伴って弁体が原形に復して流通路を閉鎖する間欠弁等が用いられていた。
【０００３】
しかし、上記の何れの間欠弁も流体の供給量(噴出量、流出量又は吐出量を包含)をその容器の内圧に基づいて規制することから来る制約即ち、簡単な機構で供給量を再現性良く規制することは困難という制約を回避し得なかった。
【０００４】
【発明が解決しようとする課題】
本発明の目的は従来の流体容器特に、スプレー容器に伴う上記の問題点を改良することにある。詳しくは、本発明の目的は従来のスプレー容器等を殆ど改造せずに、それに装着するだけで容易に操作でき、確実な間欠噴射能力を付与し得るストッパー機構を提供することにある。更に詳しくは、本発明の目的は容器頚部への着脱が容易で、作動が確実であると共に、容器から脱離後には可燃物としてその侭で(分解も分別も要せずに)廃棄物処理へ廻すことができるストッパー機構を提供することにある。
【０００５】
【課題を解決するための手段】
本発明は、前述したような従来技術における課題及び目的を達成するために発明されたものであって、本発明のストッパー機構は、下記のように構成されていることを特徴とする。
（１）スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口１ｍに固定する接続筒部材２と、
前記接続筒部材２の上半部２ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２に外嵌された環状ストッパー４であって、その内周面から内向けに相
互に対向する位置に突設された２個の係止爪４１が、接続筒部材２の上半部２ｕに位置する係止用透孔２ｃに嵌入係止された環状ストッパー４と、
を備え、
前記アクチュエーター３の基筒部３ｂを、環状ストッパー４から突設された係止爪４１が、接続筒部材２の係止用透孔２ｃを介して内側へ貫通した部分で支承して、前記アクチュエーター３の降下を阻止した状態であり、
前記流体容器１に収容されている流体を排出する際には、
前記環状ストッパー４の係止爪４１が、接続筒部材２の係止用透孔２ｃから抜出る方向に移動させて、
前記環状ストッパー４をアクチュエーター３側へ移動させることにより、アクチュエーター３のフランジ部３ｆの下面に当接した状態で、環状ストッパー４を脱離状態に仮固定し、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、アクチュエーター３を流体容器１側に押し下げることによって、環状ストッパー４の係止爪４１が、接続筒部材２の上半部２ｕに位置する係止用透孔２ｃに再び嵌入係止された状態となるように構成されていることを特徴とするストッパー機構。
（２）前記環状ストッパー４が、略楕円形であって、環状ストッパー４を長径線上に押し付けることによって、環状ストッパー４の係止爪４１が、接続筒部材２の係止用透孔２ｃから抜出る方向に移動させるように構成されていることを特徴とする請求項１に記載のストッパー機構。
（３）前記接続筒部材２の係止爪４１の外側に、脱離用摘み４２が設けられ、脱離用摘み４２を外側へ引拡げることによって、環状ストッパー４の係止爪４１が、接続筒部材２の係止用透孔２ｃから抜出る方向に移動させるように構成されていることを特徴とする請求項１から２のいずれかに記載のストッパー機構。
（４）前記環状ストッパー４が、紙クリップ型であって、鈎型に曲げられた２部分をそれぞれ分離する側へ開くことによって、環状ストッパー４の係止爪４１が、接続筒部材２の係止用透孔２ｃから抜出る方向に移動させるように構成されていることを特徴とする請求項１に記載のストッパー機構。
（５）スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口１ｍに固定する接続筒部材２ｖ１と、
前記接続筒部材２ｖ１の上半部２ｖ１ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２ｖ１とアクチュエーター３のフランジ部３ｆとを覆う様に嵌装されている筒型ストッパー５と、
を備え、
前記筒型ストッパー５の内壁下端域５ｄから中心軸向けに突設された突部５ｂを備え、突部５ｂに接続筒部材２ｖ１の下端２ｖ１ｄｅを載せる様に係合することにより、上方へ引抜ける事態を防止した状態であり、
前記筒型ストッパー５には、
筒型ストッパー５の内壁下端域５ｄから外側向けに突設された脱離用摘み５１と、前記脱離用摘み５１の両側に形成された２本の切込み５２と、切込み５２に挟まれた切込み脱離用舌片５３とを備え、
前記流体容器１に収容されている流体を排出する際には、
前記脱離用摘み５１と脱離用舌片５３を外側へ引出して、その内壁下端５ｄにおける内壁下端突部５ｂと接続筒部材２ｖ１の下端２ｖ１ｄｅとの係合関係を外れた状態として、
前記筒型ストッパー５を、アクチュエーター３と一体的に上方に引上げた状態とし、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、アクチュエーター３を流体容器１側に押し下げて、筒型ストッパー５内壁下端の突部５ｂが、接続筒部材２ｖ１の下端２ｖ１ｄｅを載せる形で再び係合された状態となるように構成されていることを特徴とするストッパー機構。
（６）スプレーヘッドを備えたスプレー容器に間欠噴射能力を付与するためのストッパー機構であって、
流体容器１に収容されている流体を押出す吐出ポンプＰを、流体容器１の上端開口１ｍに備えた流体容器１と、
前記流体容器１の頚部１ｎの外壁に固定され、吐出ポンプＰを、流体容器１の上端開口１ｍに固定する接続筒部材２ｖ２と、
前記接続筒部材２ｖ２の上半部２ｖ２ｕ内を、上下に滑動可能に内嵌される基筒部３ｂと、前記吐出ポンプＰの弁作動棒Ｐｒの頂端に当接し、吐出ポンプＰと連通する流通管部３ｃと、排出口３ｘとを備えたアクチュエーター３と、
前記接続筒部材２ｖ２に外嵌された環状ストッパー４ｖと、
を備え、
前記接続筒部材２ｖ２外壁から突設された係止爪２１ｖ２が、環状ストッパー４ｖの対向する位置に穿設された係止用透孔又は係止用凹陥４３へ嵌入して、環状ストッパー４ｖが、接続筒部材２ｖ２に固定され、
前記環状ストッパー４ｖの頂縁４ｖｔから上方向けに突設された誤作動防止突部４ｖｕを備えており、アクチュエーター３の降下を阻止した状態であり、
前記流体容器１に収容されている流体を排出する際には、
前記接続筒部材２ｖ２の係止爪２１ｖ２が、環状ストッパー４ｖの係止用透孔又は係止用凹陥４３から抜出る方向に移動させて、
前記環状ストッパー４ｖを流体容器１側へ移動させることにより、環状ストッパー４を脱離状態に仮固定し、
この状態で、アクチュエーター３を流体容器１側に押し下げることによって、
流通管部３ｃの下端により、弁作動棒Ｐｒを押下げて、押圧作動弁を作動させて、流体容器１に収容されている流体を、アクチュエーター３の流通管部３ｃと、排出口３ｘを介して排出し、
さらに、環状ストッパー４ｖをアクチュエーター３側に押し上げることによって、接続筒部材２ｖ２の係止爪２１ｖ２が、環状ストッパー４ｖの係止用透孔又は係止用凹陥４３に再び嵌入係止された状態となるように構成されていることを特徴とするストッパー機構。
（７）前記環状ストッパー４ｖが、略楕円形であって、環状ストッパー４ｖを長径線上に押し付けることによって、環状ストッパー４の係止用透孔又は係止用凹陥４３が、接続筒部材２ｖ２の係止爪２１ｖ２から抜出る方向に移動させるように構成されていることを特徴とする請求項６に記載のストッパー機構。
【０００６】
【発明の実施の形態】
＜環状又は筒型ストッパーの形状及び材質＞
本発明のストッパー機構がリング状又はチューブ状の場合を例に採って以下、図面に基づいて具体的に説明する。本発明において「上下左右前奥」等は説明の便宜上の表現である。
【０００７】
本発明のストッパーは環(リング)状又は筒型(チューブ状)の何れにせよ、外力による比較的大きな変形後にも原形への復元性に富む材料(弾性材料)で形成されている。それと共に、その弾性材料は一旦所定の形状に賦形された後には、その形状を長期間に亙って保持し得ることを期待される。
本発明の環状ストッパーがその内壁面に形成された係止部(係止手段)によってその内側に位置する接続筒部材(第１変形接続筒部材及び第２変形接続筒部材を包含)に設けられた係止部と係合され得るものである限り、その係止部の形態又は種類は何れでも差支え無い。
【０００８】
とはいえ、本発明における係止部として実用的に好ましいものは片方に設けられた係止爪と他方に設けられた係止用透孔との嵌入固定方式である。尤も、筒型ストッパーと接続筒部材との係合方式はこれらとは異なり得る。
また、後掲の図９に例示される好適別異態様においては、一体型SA部材の第１変形接続筒部における上半部には係止用透孔又は係止爪等の係止部を備えることを要しない。その理由はこの方式で用いられる係止方式が全く別異であることに帰せられる。
【０００９】
本発明のストッパーを成形する材料樹脂(素材樹脂)として実用面から好適なものとしては、前掲の性状を備えていることを前提として、成形性、保形成、成形容易性、材料価格及び生産性その他の条件を勘案すれば熱可塑性樹脂であって例えば、ポリオレフィン樹脂、ポリエステル樹脂、ポリアミド樹脂、硬質ポリウレタン樹脂等を挙げることができる。ここで、「樹脂」とは、必ずしも結晶性重合体に限らず、成形業界で「樹脂」として認識され、流通され、成形又は賦形等の処理に供されているものを包含する概念である。
【００１０】
本発明のストッパーを形成する材料として、結晶性ポリオレフィン樹脂は熱可塑性樹脂の中でも、平均的な実用性においては最適材料の１種である。結晶性ポリオレフィン樹脂としては例えば、結晶性ポリエチレン、結晶性ポリプロピレン、結晶性ポリ-1-ブテン、プロピレン−エチレン結晶性共重合体及びプロピレン−1-ブテン結晶性共重合体を挙げることができる。
【００１１】
結晶性ポリオレフィン樹脂の中で実用性において最有力のポリエチレン樹脂及びポリプロピレン樹脂について更に説明すれば、ストッパーを形成するには結晶性樹脂であることが重要で、ポリエチレン樹脂の中では高密度ポリエチレン樹脂が、ポリプロピレン樹脂の中では結晶性(立体規則性)ポリプロピレン樹脂が有力である。医薬品用途等に要求される加圧水蒸気滅菌処理に余裕を持って耐える為には、結晶性(立体規則性)ポリプロピレン樹脂が有利になるが、この他にも、ポリ-4-メチル-1-ペンテン(他の1-オレフィンとの共重合体をも包含)樹脂が高温処理には高い耐性(熱変形温度及び座屈強度)を備えている点で更に優位にある。
【００１２】
＜接続筒部材(総称)の素材＞
本発明において、流体容器の頚部に冠装されて各種ストッパーと係止関係を実現するものは接続筒部材(総称；第１変形接続筒部材及び第２変形接続筒部材を包含)である。この係止関係実現に加えて、接続筒部材の役割は流体容器の頚部内に挿入される流体排出ポンプを流体容器の頚部上端開口に固定する。
【００１３】
この様な役割に適合する為には、その素材が流体容器及びストッパーに要求される化学的性質及び機械的性質等を備えていることが好ましい。また、医療用途、食品、嗜好品、美容・理容料等の人体に摂取されるか又は少なくとも接触することを当然に予想すべき用途向けには、各種ストッパーの作成に好適に用いられる結晶性ポリオレフィン樹脂類が一層適する。更に、この接続筒部材には、常時荷重を受けながらも変形し難い性質(耐クリープ変形性)、耐高温性(高熱変形温度:ＨＤＴ)、防湿性、ガス遮断性(特に、酸素及び二酸化炭素等)の１以上がその用途に応じて重視される。耐高温性(高熱変形温度:ＨＤＴ)、防湿性、ガス遮断性(特に、酸素及び二酸化炭素等)を何れも高水準で充足する素材としては、非晶性環状ポリオレフィン(単独重合体、共重合体及びその１種以上を含有する組成物を包含)例えば、ポリシクロアルケン樹脂が好適である。非晶性ポリシクロアルケン樹脂として既に提供されている重合体は例えば、トリシクロデセン系重合単位、テトラシクロデセン系重合単位及びペンタシクロデセン系重合単位等を３〜２０個程度単独重合又は共重合させて得られるものである。本発明で用いられる素材樹脂における「樹脂」は狭義の樹脂である「結晶性重合体」に限らず、「樹脂」として成形加工され、取引きされている硬質重合体である限り、低結晶性又は非晶性の重合体であっても本発明で用いられる「樹脂」に包含される。
【００１４】
＜流体容器の素材＞
本発明において用いられる容器即ち、流体容器を形成する材料は上述の熱可塑性樹脂であれば殆どの場合に差支え無い。中でも、結晶性ポリオレフィン樹脂は容器の形成材料として多くの場合に好適である。尤も、結晶性ポリオレフィン樹脂は他の熱可塑性樹脂に比して低融点であることから、その中でも低融点樹脂であるポリエチレン樹脂にしては高融点側に位置する高密度ポリエチレンであっても、加圧水蒸気滅菌処理の様な結晶融点に近い温度条件で長時間用いられる用途向けには、ポリエチレン樹脂よりも結晶性ポリプロピレン(立体規則性ポリプロピレン)樹脂の方が適性を(耐久性)を備えている。別の観点からは、ポリオレフィン樹脂は耐酸性及び耐アルカリ性に富み、収容されている流体に対して不活性であるという長所を備えている点で、医薬、美容料(化粧品等、染色剤等)、理容料(整髪料、髭剃り料等)、食料、調味料及び嗜好品等を収容する容器としての用途にも地位を確立している。なお、用途からの要求性状が耐高温性(高熱変形温度:ＨＤＴ)、防湿性、ガス遮断性(特に、酸素及び二酸化炭素等)等の１種以上を重視する場合には、前項に例示されたポリシクロアルケン樹脂が適する場合もあり得る。
【００１５】
本発明において「流体」とは、気体、液化ガス又は液体の何れをも包含する。中でも好ましいものは気体、液化ガス又は低沸点液体である。その理由は本発明で流体に期待される役割がプロペラント(推進剤)であることに帰せられる。当然ながら、各種の用途向けには、この流体に各種の主成分等が添加され、或る場合には溶液の形態で、別の場合には懸濁液又は乳濁液(エマルション)等の形態で収容される。
【００１６】
＜図面に基づく説明＞
<<環状ストッパー４>>
図１で総括される本発明の好適態様において、図１(Ａ)は本発明の環状(リング状)ストッパー４が略楕円形であって、流体容器(不図示)１の頚部１nに接続された接続筒部材２に外嵌され、その内周面から内向けに相互に対向する位置に突設された２個の係止爪４1がそれぞれ流体容器１の頚部１nに接続された断面形状略Ｈ字型の接続筒部材２の上半部２uに位置する係止用透孔(又は係止用凹陥)２cに嵌入係止された状態を流体容器１の中心軸(長軸)を含む平面で切断して現れる模式的縦断面図の中で、平面形状が略楕円形の環状ストッパー４の長径線上から見た模式的断面図である。
【００１７】
図１(Ａ)において、流体容器１は略有底円筒状の流体収容部(貯液部;不図示)１hの中段域に設けられた縮径域を経て稍小径の頚部１nに終わり、その上端開口１mには環状ガスケットＧを介して吐出ポンプＰ例えば、スプレーポンプ等の下段フランジ部Ｐfが載置され、その上方から接続筒部材２の内壁２iから突設された環状突条２rが下段フランジＰfを押圧固定することによって、このポンプＰの脚管部Ｐdが流体収容部１hの液面下へ挿入されて、収容されている流体がスプレーポンプＰに吸上げられ、更にこのポンプＰから、アクチュエーター３内に備えられた流通管部３cを経由して、アクチュエーター３の上端に開口している排出口３xから流体が排出(噴霧、噴射及び吐出を包含)される。
【００１８】
<<接続筒部材２>>
この接続筒部材２の下半部２dの内壁２iには通常、雌螺条が刻設され、この雌螺条が流体容器頚部１nの外壁に通常は刻設された雄螺条と螺合する。ここで、接続筒部材２の上半部２uと下半部２dとを隔てる境界はその内壁２iから突設された環状突条２rである。この環状突条２rは流体容器１に収容されている流体を押出す吐出ポンプＰを流体容器１の上端開口１mに環状ガスケットＧを介して上方から押圧固定する役割を果たす。吐出ポンプＰとしては通常、スプレーポンプが多用される。
【００１９】
流体容器１の頚部１n外壁には雄螺条が刻設され、この雄螺条は別体の接続筒部材２の下半部２d内壁に刻設された雌螺条に螺合されてスプレーポンプＰの下段フランジＰfを挟持固定する。接続筒部材２の上半部２u側壁には、係止用透孔(係止用凹陥)２cが穿設されている。係止用透孔２cは通常、上下に所定の間隔を隔てた２個の組合せで、しかも接続筒部材２の上半部２uの中心に対して点対称に、通常２組が配置されている。この係止用透孔２cは単なる透孔であっても、凹陥であっても、係合方式に応じて選択され得るが、図１〜５における各態様即ち、アクチュエーター３の基筒部３bを環状ストッパー４から突設された係止爪４1が接続筒部材２の内側へ貫通した部分で支承して降下を阻止する構造においては、「透孔」であることを要する。
【００２０】
とはいえ、別異方式例えば、図１１に例示された様な誤作動防止突部４vuがアクチュエーター３の降下を阻止する為に変形環状ストッパー４vの頂縁４vt付近からアクチュエーター３のフランジ部３f下面に当接する様に突設されている方式においては、前記の係止手段４3が係止用透孔若しくは係止用凹陥(有底孔;彫込み孔)であることができる。しかし、この係止手段は上記とは別異の形態であるであっても差支え無い。即ち、第２変形接続筒部材２v2の外壁に１本以上の横方向に走る溝であって、変形環状ストッパー４vの内壁面にもそれに嵌合し得る横溝が設けられるか又は変形環状ストッパー４v自体が「横方向へ走る波形」に変形されている態様等も本発明に包含される。
【００２１】
なお、図１以降に現れる模式的縦断面図のそれぞれにおいて、接続筒部材２の下半部２d外壁が二重線で表示されている実体は滑止めの縦溝型ローレットであって、接続筒部材２を流体容器１の頚部１n外壁に螺着又は離脱の為の回動を容易にする為の手当である。
図１(Ａ)における流体容器１の頚部１nに下半部２dで接続(冠装)された接続筒部材２の上半部２u内には、アクチュエーター３の基筒部３bが上下に滑動可能に内嵌されている。ここで、接続筒部材２の上半部２uと下半部２dとの境界は同部材２の内壁２i中段から突設された環状突条２rである。
【００２２】
上記のアクチュエーター３は略円筒形の基筒部３bと略倒立ラッパ型の排出外筒部３z及びその内側に装着された流通管部３cとが接合された複合体で形成され、通常は基筒部３bの上端域が排出外筒部３zの下端に位置するフランジ部３fの下面に接合された形態で構成されている。流通管部３cの下端は押圧作動弁の頂部から突出する弁作動棒Ｐrの頂端に略当接していて、アクチュエーター３が押下げられる際に、押圧作動弁を作動させるに十分な距離だけ弁作動棒Ｐrを押下げる。
【００２３】
図１(Ｂ)は同一の係止状態を示すものではあるが、略楕円形の環状ストッパー４の縦断面形状を楕円形の短径方向から見た模式的縦断面図である。従って、図１(Ｂ)によれば、環状ストッパー４が横方向へ張出した状態が一見して判る。なお、図１(Ｃ)は環状ストッパー４が嵌装されている状態を線Ａ−Ａ(平面Ａ−Ａ)で切断して現れる模式的断面図である。図１(Ｂ)及び図１(Ｃ)に示された中空矢印は環状ストッパー４を開放する為に印加される外力の方向を示す。
【００２４】
図１(Ｂ)及び図１(Ｃ)に説明を戻せば、長径線上で対向する中空矢印に示された挟付け力によって、環状ストッパー４がそれに略垂直の短径方向で外側へ拡開される結果、係止爪４1が流体容器１の頚部１n外壁に螺着された接続筒部材２の上半部２uに穿設(又は凹設)された係止用透孔２cから抜出ることになる。この状態で環状ストッパー４を開放(脱離)状態に仮固定するには、環状ストッパー４をアクチュエーター３側へ移動させる。
【００２５】
この際の環状ストッパー４の移動限界はその頂縁４tがアクチュエーター３の外壁から外側へ拡がるフランジ部３fの下面又は後掲の図４(Ｉ)及び図４(Ｊ)に表示されたアクチュエーター(スプレーヘッド)３(３1及び３2を包含)の中段から外側へ張出したフランジ部３f(３1f及び３2fを包含)の下面に当接するまでで通常は十分である。換言すれば、図４(Ｉ)におけるアクチュエーター３１及び図４(Ｊ)におけるアクチュエーター３2の略中段域外壁からそれぞれ張出したフランジ部３1f又は３2fの下面に環状ストッパー４の上縁４tが下方から当接する位置が環状ストッパー４の移動上限である。この段階では、係止爪４1が接続筒部材２の外壁で係止用透孔２cよりも稍上方に当接した状態になっている。
【００２６】
詳しくは、図１(Ｄ)によれば、この係止爪４1は係止用透孔２cから抜出(脱離)した後にも、接続筒部材２の上半部２u外壁に刻設された案内縦溝２g中に嵌入されていて、環状ストッパー４が上下動する際に案内縦溝２g内をたどりながら同一の経路上を往復できる様になっている。
図２(Ｅ)は上方へ滑動可能な状態になった環状ストッパー４が上方へ移動している状態を示す。この移動は上方への引上げ又は下方からの押上げによっても実現され、環状ストッパー４の頂縁がアクチュエーター３のフランジ部３fの下面に当接するまでは行なわれ得る。本質的には、環状ストッパー４の移動はその頂縁４tとアクチュエーター３のフランジ部３f下面との間隔を変化させることである。
図２(Ｆ)は環状ストッパー４の頂縁がアクチュエーター３のフランジ部３fの下面に当接した後に、アクチュエーター３と流体容器１との間隔が接近する様に操作が行なわれている状態を示し、その結果としてアクチュエーター３の上端に開口された排出口３xから流体貯留部(不図示)１hに収容されていた流体が噴霧(噴射)されている。環状ストッパー４とアクチュエーター３との複合体はその侭案内縦溝２gに案内されて下方へ移動し、遂には係止爪４1が係止用透孔２cに嵌入して両者を係止する。
【００２７】
図２(Ｇ)は状態が再び図１(Ａ)へ戻った状態を示す。従って、この状態では最早アクチュエーター３を押下げ(接続筒部材２を引上げ)ようとしても、係止作用に妨げられる。しかし、この状態から再び上記のサイクルを実行するには、上記の説明に従って係止解除操作をすれば可能である。
図３(Ｈ)は図１(Ｄ)の状態を拡大表示する模式的部分拡大縦断面図である。図３(Ｈ)において、その左半分は接続筒部材２の上半部２u外壁に穿設された係止用透孔２cに環状ストッパー４の係止爪４1が嵌入して、その直ぐ上に位置するアクチュエーター３の基筒部３b下端が降下することを阻止している状態を示してる。他方、図３(Ｈ)の右半分は接続筒部材２の上半部２uに穿設された係止用透孔２cから環状ストッパー４の係止爪４1が離脱して、接続筒部材２の上半部２u外壁に刻設された案内縦溝２g中を案内されながら上方へ滑動可能になっている状態を示している。
【００２８】
<<アクチュエーター３の変形態様>>
図４(Ｉ)及び図４(Ｊ)は何れもアクチュエーター３として別異形状の３１及び３２が装着されている変形態様であって、環状ストッパー４と流体容器(不図示)１との係止態様は図１(Ａ)〜図３(Ｈ)に示された態様におけると同一である。なお、図４(Ｉ)及び図４(Ｊ)の両図には流体容器１が図示されているが、流体容器１は模式的見取り図として示されているに過ぎない。従って、その頚部１n内側の図示は省略されている。
【００２９】
図４(Ｉ)におけるアクチュエーター３1では、その内側において流通管部３cが真上向きから横向きに略直角に転向されている。従って、環状ストッパー４が開放されてから、アクチュエーター３１が押下げられると、アクチュエーター３1が降下しながらその頂部側壁に穿設された排出口(噴霧孔)３xから横方向へ内溶液を噴霧することになる。
【００３０】
図４(Ｊ)におけるアクチュエーター３2は図４(Ｉ)におけるアクチュエーター３1の排出口(噴霧孔)３xが開口する位置に、水平方向へ向かう集中排出部材３x1を備えている。この集中排出部材３x1の役割は流体によって噴霧される目標が小さいか又は周囲を障害物が囲んでいる狭い箇所に位置する目標へ効率良く流体を吹付ける場合に有用である。
【００３１】
<<環状ストッパー４とその変形態様>>
図５(Ａ)は本発明の環状ストッパー４自体を図１(Ｂ)に示された線Ａ−Ａで表わされる平面と同一の平面で水平に切断した横断面を示す模式的横断面図である。この形状は環状ストッパー４自体をその上方から見下ろした形状を示す図と一致する。
【００３２】
図５(Ａ)において、環状ストッパー４の外環部４xが略楕円形の外郭を形成し、その内周面において、略短径上の対向位置から２個の係止爪４1が容器１向けに突設されると共に、緊締される接続筒部材２の上半部２uを確実に保持する為に、外環部４xの内周から４本の把持片４hが何れも接続筒部材２の上半部２u外周に対して略接線方向に張出している。即ち、この４個の把持片４hの役割は嵌装される容器１の頚部１nに嵌装(外嵌)された接続筒部材２を周囲から把持して、この接続筒部材２の上半部２uを環状ストッパー４の中心付近に位置させることにある。尤も、把持片４hの個数は４個に限らず、更に多数個でも良く、例えば用途に応じて６個であっても差支え無い。
【００３３】
図５(Ｂ)は本発明の環状(リング状)ストッパー４の別異態様(第１変形態様)であって、前述の本発明の環状ストッパー４がその楕円形の長径線上で双方から挟圧して開放されるものであるに対し、図５(Ｂ)の態様はその短径線上で外側へ引拡げられることによって開放されるものである点で異なる。
従って、図５(Ｂ)の態様では、係止爪４1の突設方式は図５(Ａ)までに述べられた態様におけると同一であり得るが、引拡げる為には「脱離用摘み」４2が設けられることが有用で、この態様においては環状ストッパー４の外環部４xにおいて略短径線と交差する位置(この位置は外周面上に、中心軸対称の位置で２個ある)からそれぞれ外側向けに脱離用摘み４2が各１個突設されている。この脱離用摘み４2の「摘み面」は図５(Ｂ)の態様では略鉛直面内にある。とはいえ、この「脱離用摘み面」は略水平面内にあっても即ち、俯瞰図形で多角形であってもよい。
【００３４】
図５(Ｃ)の態様は環状ストッパー４の第２変形態様であって、環状ストッパー４の平面形状が略方形(正方形及び長方形を包含)に賦形されている。図５(Ｃ)の態様は寧ろ図５(Ｂ)の態様の変形とも言えるもので、「脱離用摘み」４2を外側へ引拡げられる様に、両摘み４2を結ぶ区間に略平行な両辺が伸縮可能にする為に波形に賦形されている。
【００３５】
図５(Ｄ)は本発明の環状ストッパー４が流体容器１の頚部１nに嵌装された接続筒部材２の上半部２uに嵌装された状態を図１(Ｂ)に示された線Ａ−Ａ(水平面Ａ−Ａ)で切断して現れる模式的水平横断面である。図５(Ｄ)によれば、係止爪４1が接続筒部材２に穿設された係止用透孔２cに嵌入してアクチュエーター３が不時に作動状態へ移行する事態を阻止していることが判る。
【００３６】
図５(Ｅ)は図５(Ｄ)の状態から環状ストッパー４を開放する際の移行状態を示し、環状ストッパー４をその長径線上で双方から挟付ける外力によって、長径方向には収縮する反面で短径方向には拡大し、それに伴って係止爪４1が係止用透孔２cから既に抜出ている状態を示す。
<<筒型ストッパー５>>
図６で統括される態様は本発明の第２好適態様を示す模式的縦断面図であって、図６(Ａ)は筒型ストッパーが冠装された状態、図６(Ｂ)は冠装時の係止関係、図６(Ｃ)は上方から見た状態、図６(Ｄ)は離脱の初段階、図７(Ｅ)は離脱の次段階、図７(Ｆ)は噴霧状態及び図７(Ｇ)は当初へ復帰した状態を示す。以下に図毎に詳細に説明する。
【００３７】
図６(Ａ)は筒型(チューブ型)ストッパー５が図１(Ａ)〜図４(Ｂ)に示された流体容器１の上部に接続されたアクチュエーター３のフランジ部３fを覆う様に嵌装されている状態を示す模式的縦断面図である。詳しくは、図６(Ａ)において流体容器１の頚部１n外壁には、先ず縦断面形状略Ｈ字型の第１変形接続筒部材２v1の下半部２v1dが螺着によって冠装され、その上半部２v1uには直線状アクチュエーター３の基筒部３bが内嵌されている。
【００３８】
即ち、この第１変形接続筒部材２v1の下半部２v1dの内壁２v1iには雌螺条が刻設され、この雌螺条が流体容器頚部１nの外壁に刻設された雄螺条と螺合する。ここで、第１変形接続筒部材２v1の上半部２v1uと下半部２v1dとを隔てる境界はその内壁２v1iから突設された環状突条２v1rである。この環状突条２v1rは容器１に収容されている流体を押出す吐出ポンプＰを流体容器１の上端開口１mにガスケットＧを介して上方から押圧固定する役割を果たす。吐出ポンプＰとしては通常、スプレーポンプが多用される。
【００３９】
図６(Ａ)において筒型ストッパー５はその内壁下端域５dから中心軸向けに突設された突部(突条、突起、アンダーカットを包含)５bを備え、その頂縁５uに第１変形接続筒部材２v1の下端２v1deを載せる様に係合させて、自己が上方へ引抜ける事態を防止している。
図６(Ｂ)は図６(Ａ)における筒型ストッパー５の内壁下端突部５bと第１変形接続筒部材２v1の下端２v1deとの係合関係及び筒型ストッパー５の脱離用摘み５1を示す模式的部分拡大縦断面図であって、前記の脱離用摘み５1は筒型ストッパー５の内壁下端域５dから外側向け(遠心方向)に突設された扁平状の部分であって、この脱離用摘み５1を手指で摘んだ状態で外側向けに容易に引拡げられる大きさ、形状及び強さを備えたものであれば如何なるものでも差支え無い。
【００４０】
図６(Ｃ)は図６(Ａ)において筒型ストッパー５が流体容器１に冠装された状態を上方から見た俯瞰図であって、最外位置を占める広幅の環欠(環の一部分が欠落したもの)は実は２本の環欠が接近して表示されている結果である。２本の環欠の中で外側の環欠は流体容器１の下半部を占める流体収容部(貯液部)１hの外郭線であり、内側の環欠は筒型ストッパー５の下端５dの外郭線であり、内側の環欠に比較的近く位置する円は筒型ストッパー５の上端５4の外郭線である。更に、上端外郭線５4付近から横方向へ張出す略四角形の部分は筒型ストッパー５の下端５d外壁から外向けに張出した脱離用摘み５1であって、この脱離用摘み５1の両側に見える環欠との間の細長い間隙は切込み５2であって、上記の筒型ストッパー５の下端縁５dから脱離用摘み５1を挟んで上方へ続き、この脱離用摘み５1を外側へ引出し(引上げ)易くする為の切込みである。ここで、２本の切込み５2に挟まれた細幅の区域を脱離用舌片５3と称する。これらの各部の形状及び位置関係は後続の図８に明示されている。
【００４１】
図６(Ｄ)は筒型ストッパー５を脱離させる為の初段階であって、脱離用摘み５1に始まる脱離用舌片５3が外側へ引出されて、その内壁下端５dにおける内壁下端突部５bと第１変形接続筒部材２v1の下端２v1deとの係合関係が外れた状態を示す。なお、図６(Ｄ)においてその右肩位置に画定された円形内に表示されたものは図６(Ｄ)の右裾位置に丸印で囲まれた範囲の係合関係を拡大表示する部分拡大縦断面図であるが、図番は付与されていない。右裾位置の丸印内の表示でも係合関係が一応読取れると判断されるからである。
【００４２】
図７で統括される各態様の模式的縦断面図は図６で統括される各態様の中で、１葉の図面に収容できずに別葉(別図)として表示された本発明の好適態様である。
図７(Ｅ)は模式的縦断面図であって、筒型ストッパー５の脱離用摘み５1が外向けに引かれた状態の侭で、筒型ストッパー５がアクチュエーター３と一体的に更に上方向けに引上げられた状態を示し、この図７(Ｅ)においては第１変形接続筒部材２v1の上端からアクチュエーター３のフランジ部３fの下面までが所定長だけ離れている。
【００４３】
図７(Ｆ)は模式的縦断面図であって、筒型ストッパー５及びアクチュエーター３が一体的に引上げられた状態から内容流体を排出(噴霧、噴射及び吐出を包含)する為に一体的に押下げられるに伴って、アクチュエーター３の上端に開口した排出口３xから内容流体が上方へ噴出されている状態を示す。
図７(Ｇ)は模式的縦断面図であって、図７(Ｆ)の状態から筒型ストッパー５がアクチュエーター３と共に当初の位置へ復帰し、筒型ストッパー５内壁下端の突部５bが第１変形接続筒部材２v1の下端２v1deを載せる形で係合して、アクチュエーター３の不時の作動が阻止されている状態を示す。
【００４４】
図８は本発明の筒型ストッパー５が流体容器１とアクチュエーター３との複合体(流体容器１の頚部１nに第１変形接続筒部材２v1を介してアクチュエーター３が接続されたもの)に冠装された状態を示す側面見取り図である。図８において、本発明の筒型ストッパー５の外壁には、その下端縁５dから上方向けに２本の切込み５2が所定高さまで走り、両切込み５2に挟まれた細長い区域が脱離用舌片５3である。この脱離用舌片５3の下端には比較的薄い区域が略水平に画定表示されているが、この区域は脱離用摘み５1である。
【００４５】
<<部品一体型>>
図９で統括される態様は本発明の第３好適態様であって、図９(Ａ)はアクチュエーター部６aと筒型ストッパー部６sとが一体化された態様を示し、図９(Ａ)の態様では、流体容器１の頚部１n外壁に第１変形接続筒部材２v1が螺着されている点では先行の各態様におけると略同一である。
【００４６】
しかし、この第３好適態様においては図９(Ａ)に模式的縦断面図の形で示されている様に、アクチュエーター部６aのフランジ部６f(別名「フランジ部６4」)が筒型ストッパー部６sの天板部６4を兼ねてその侭下方へ伸びて筒型となり、その下端６dの一部分が外側へ張出して脱離用摘み６1になり、一体型アクチュエーター・ストッパー(略称「一体型SA部材」)６が形成される。
【００４７】
尤も、脱離用摘み６1を挟む両側が第１変形接続筒部材２v1の下端縁２v1deから上方へ切込まれて２本の切込み６2を形成し、他方、２本の切込み６2に挟まれた細幅の区域は脱離用舌片６3となる点及び一体型SA部材６のアクチュエーター部６aが上向きの直線形ノズルを備え、その内部を流通管部６cが貫通して上端に排出口６xを開口している点では先行の各態様におけると異なる点は無い。ここで、図９の態様では、流通管部は「６c」、その先端の排出口は「６x」、筒型ストッパー部は「６s」となることに留意を要する。
【００４８】
図９(Ｂ)は本発明の一体型SA部材６が流体容器１に冠装された状態をその側面から見た模式的見取り図であって、筒型ストッパー部６sの下端６dから側方へ脱離用摘み６1が張出すと共に、その起点に近接した位置から上方向けに切込み６2が形成されている。他方、アクチュエーター部６aは横向き排出型に転向され、アクチュエーター部６aの側壁６tに穿設された排出口(噴霧孔)６xから流体を排出(噴霧;噴射;吐出)することになる。
【００４９】
図９(Ｃ)は図９(Ｂ)における排出口６xがアクチュエーター部６aの側壁６tに直接に開口するのではなく、側壁から更に横方向へ伸びる横排出部材６x1を備えている。前記のアクチュエーター部６a内部には流通管部６cが貫通してポンプＰから送られる加圧流体をアクチュエーター部６aへ供給する。この横排出部材６x1の役割は噴霧される目標が小さいか又は周囲を障害物が囲んでいる狭い箇所等に位置する目標へ効率良く流体を吹付ける場合に有用である。
【００５０】
＜変形態様＞
図１０で統括される態様は本発明の第４変形態様であって、図１０(Ａ)は環状ストッパー４の変形態様として、「紙クリップ型(握り鋏型)」の変形環状ストッパー７を例示する。尤も、「紙クリップ型」とはいえ、この態様では、紙クリップのその侭の状態ではなく、その鈎型に曲げられた２部分をそれぞれ分離する側へ多少開いて擬似ハート形に変形すると、本発明の第４変形態様に近くなる。
【００５１】
図１０(Ａ)に示された「紙クリップ型」の変形環状ストッパー７においては、その略楕円形(又は小判型)の外環部７wがその周上の長径に近い位置７w1及び７w2で切断されて、生じた両末端７w1及び７w2がそれぞれ長径側へ曲げ込まれたものである。前記の長径側へ曲げ込まれた両陥入域７b1及び７b2の両末端７w1及び７w2はそれぞれ自由端であって、両陥入域７b1と７b2との間に手指が進入することによって両陥入域が押拡げられる結果、外環部７wも短径方向へ押拡げられて、両係止爪７1が接続筒部材２(第２変形接続筒部材２v2をも包含)に穿設された係止用透孔２cから脱離する。これ以後の過程は前述の環状ストッパー４におけると同様で済む。
【００５２】
図１０(Ｂ)は前記の「紙クリップ型」の環状ストッパー７における陥入域７b1と７b2とが操作中に離間しない様にする為の１態様の模式的平面図である。即ち、図１０(Ｂ)の態様では、両陥入域７b1及び７b2の何れかが他方に切込まれた誘導切込み７i中に挿通された相貫状態に構成され、操作段階に応じて拡開され、次いで原状へ復帰する。その結果、挿通された陥入域７bは他方の陥入域７bから離間する虞は無くなる。
【００５３】
図１０(Ｃ)は図１０(Ｂ)に示された相貫状態を楕円の外側で長径方向から見た模式的見取り図である。
図１０(Ａ)〜(Ｃ)に表示された変形環状ストッパー７における「握り」部分(外環部)７wの形状は楕円形又は放物線形に限らず、隅丸の長方形(正方形を包含)その他の多角形であっても、それが拡開による変形を原状へ復元する能力に優れた形状であれば良い。「握り」部分７wの更に別異の形状として、所謂「松葉型;Ｖ字型;Ｙ字型」でも良い。
【００５４】
図１１で統括される態様は本発明における容器頚部１nに外嵌された第２変形接続筒部材２v2とそれに更に外嵌される変形環状ストッパー４vとが逆係合関係にある変形態様例であって、図１１(Ａ)は第２変形接続筒部材２v2外壁から突設された係止爪２1v2が変形環状ストッパー４vの外環部４vxにおける略短径線上に対向する位置に穿設された係止用透孔４3へ嵌入して、変形環状ストッパー４vを第２変形接続筒部材２v2に固定している状態を示す模式的縦断面図、図１１(Ｂ)は上記の変形係合によって形成された組合せ体の模式的正面図(又は模式的側面図)及び図１１(Ｃ)は上記の変形係合態様を略水平面(図中では「線Ｂ−Ｂ」)で切断して現れる断面を上方から見下ろした模式的横断面図である。
【００５５】
図１１の態様においては、先行各態様におけると同様の倒立ラッパ型アクチュエーター３の基筒部３bが第２変形接続筒部材２v2の上端開口内に浅く嵌入され、前記の第２変形接続筒部材２v2の内部には前出の図１〜９までにおけると同様な方式でポンプＰが内装され、第２変形接続筒部材２v2の下半部２v2d内側の空間には容器１の頚部１nが内嵌固定されている。即ち、第２変形接続筒部材２v2の内壁２v2iから環状に張出した環状突条２v2r下縁と流体容器１の頚部１n上端開口１mとの間に排出ポンプＰ中段外壁から張出したポンプフランジＰfを挟持する形態で排出ポンプＰが装着されている。このポンプＰからは、その下半部に当たる脚部Ｐdが流体容器１の開口部１m内へ挿入され、更にそれから下方へ伸びる軟質チューブ(不図示)が流体内へ浸漬されて、ポンプＰの作動によって流体を吸上げる。
【００５６】
また、第２変形接続筒部材２v2の外壁からは嵌入用係止爪２１v2が突設され、この嵌入用係止爪２１v2が第２変形接続筒部材２v2の外側に嵌装された変形環状ストッパー４vに穿設された係止用透孔４３中に嵌入されて、両者を着脱可能に固定している。
上記の係止用透孔(係止用嵌入孔又は係止用凹陥)４3は最も多く採用される形態で、係止用透孔４3に代えて凹陥(彫込み孔)の形態に形成された場合には、変形環状ストッパー４vの厚さ(半径方向の長さ)が相当に大きくない限り、両者が確実に係止されることが難しくなる。
【００５７】
図１１の各態様においては、先行態様におけるとは異なって、アクチュエーター３(３１及び３２をも包含)の不時の下降(押下げ)又は第２変形接続筒部材２v2の上昇(引上げ)を防止する方策として変形環状ストッパー４vの頂縁４vtから上方向けに突設された誤作動防止突部４vuを備えている。この変形環状ストッパー４v内壁には、第２変形接続筒部材２v2外壁から突設された係止爪２1v2を案内する案内縦溝４vgが形成されており、変形環状ストッパー４vが係合関係から最低限離脱して上下移動(誤作動防止突部４vuとアクチュエーター３のフランジ部３fとの間隔変更)が行なわれる場合にも同一の係止爪と係止用透孔(係止用凹陥)との係合が再現される。
【００５８】
尤も、上記の変形環状ストッパー４vは例えば、その頂縁４vt全長でフランジ部３fに当接するには及ばず、通常は中心軸対称(点対称)の２点以上、好ましくは３点以上で当接すれば誤作動防止機能は十分に発現される。ここで「２点」とは、厳密な点接触に限らず、或長さの線接触及び「狭い面接触」の何れをも包含する。図１１(Ａ)の右半分には、変形環状ストッパー４vの頂縁４vt付近から上向けに突設された誤作動防止突部４vuがその縦断面で僅かに表示されているが、図１１(Ｂ)には、変形環状ストッパー４vの頂縁４vt付近から誤作動阻止部４vuが略長方形で上向けに突設されている態様が示されている。この誤作動防止用突部４vuの形状は実用的には長方形、丸頭三角形、台形又は山形(波形)等に賦形されていれば十分である。
【００５９】
【発明の効果】
本発明の環状ストッパー又は筒状ストッパーを用いれば、次掲の各種効果を奏することができる：
(１)嵌装状態であれば、保存時には不時の作動の心配が無く、しかも開放時には手指で容易に脱離状態へ移行させ得る；
(２)特定方向から又は特定部位への外力の印加によって、ストッパーが開放された後に、所定量流体を吐出しながらストッパーをアクチュエーターと共に当初の状態へ確実に戻すことができる。この一連の操作は繰返して実行可能である；
(３)片手でも操作可能であることを利して例えば、片手不自由な利用者でも繰返し吐出機能を利用することができる；
(４)両手操作を前提にできる場合には、一方の手でストッパーを開放しながら、他方の手でアクチュエーターを作動させることによって、ストッパーの引上げ段階を省略して排出段階へ移行することができる。
【図面の簡単な説明】
【図１】図１で統括される各態様は本発明の好適態様であって、それぞれは接続筒部材に本発明の環状ストッパーが嵌装されるか又は離脱された形状を示す模式的縦断面図である。図１(Ａ)は環状ストッパーが嵌装された流体容器を楕円形ストッパーの長径方向から見た形状、図１(Ｂ)は環状ストッパーが嵌装された流体容器を楕円形ストッパーの短径方向から見た形状、図１(Ｃ)は図１(Ｂ)の状態を面Ａ−Ａ(図面上では線Ａ−Ａ)で水平に切断して現れる形状、図１(Ｄ)は環状ストッパーが接続筒部材の係止用透孔から脱離(抜出)した状態を示す模式的縦断面図である。
【図２】図２で統括される各態様は本発明の好適態様であって、本来は図１に表示された一連の各態様に属するものであるが、１葉の図面に収容できないことから別図とされたものであって、何れも模式的縦断面図である。図２(Ｅ)は本発明の環状ストッパーが上方(アクチュエーター側)へ移動する状態、図２(Ｆ)は本発明の環状ストッパーがアクチュエーターのフランジに当接した状態から、アクチュエーターが押下げられると共に、アクチュエーターの排出口から流体が噴射されている状態、図２(Ｇ)は本発明の環状ストッパー及びアクチュエーターが当初の状態に復帰した状態を示す。
【図３】図３に示された態様は本発明の好適態様において、その構成要素である流体容器、介在部材、接続筒部材、環状ストッパー及びアクチュエーター等の相互関係を示す部分拡大縦断面図である。
【図４】図４で統括された各態様は本発明の環状ストッパーが嵌装された接続筒部材において、そのアクチュエーターだけが別異仕様のものであって、図４(Ｉ)はアクチュエーターの第１変形態様及び図４(Ｊ)はアクチュエーターの第２変形態様を示す。
【図５】図５で統括される各態様は本発明の環状ストッパーの好適態様を示す模式的平面図又は模式的横断面図で、図５(Ａ)は本発明の環状ストッパー自体を示す模式的平面図、図５(Ｂ)は本発明の環状ストッパー自体の第１変形態様の模式的平面図、図５(Ｃ)は本発明の環状ストッパー自体の第２変形態様の模式的平面図、図５(Ｄ)は本発明の環状ストッパーが接続筒部材に嵌装された状態の平面形状からポンプその他を除外して示す模式的横断面図及び図５(Ｅ)は図５(Ｄ)において、環状ストッパーをその長径線上から挟付ける外力が印加された結果、環状ストッパーがその短径方向へ拡張した状態を示す模式的横断面図である。
【図６】図６で統括される各態様は本発明の好適態様であって、それぞれは接続筒部材に本発明の筒型ストッパーが嵌装されるか又は離脱された形状を示す模式的縦断面図である。即ち、図６(Ａ)は筒型ストッパーが嵌装された流体容器を筒型ストッパーの脱離用舌片に対して横方向から見た状態、図６(Ｂ)は筒型ストッパーが嵌装された流体容器において、その筒型ストッパーの下端と接続筒部材下端との係合関係を示す模式的部分拡大縦断面図、図６(Ｃ)は筒型ストッパーが冠装された状態を上方から見下ろした模式的俯瞰図、図６(Ｄ)は筒型ストッパーが接続筒部材の下端から脱離(抜出)して引上げられる直前状態である。
【図７】図７で統括される各態様は本発明の第２好適態様であって、本来は図６に表示された一連の各態様に属するものであるが、１葉の図面に収容できないことから別図とされたものであって、何れも模式的縦断面図である。図７(Ｅ)は本発明の筒型ストッパーが上方(アクチュエーター側)へ引上げられた状態、図７(Ｆ)は本発明の筒状ストッパーが最高位置からアクチュエーターと共に押下げられながら流体を噴霧している状態、図７(Ｇ)は本発明の筒型ストッパー及びアクチュエーターが当初の状態に復帰した状態を示す。
【図８】図８は本発明の第２好適態様である筒型ストッパーが冠装された状態をその脱離用摘み方向から見た模式的正面見取り図である。
【図９】図９で統括される各態様は本発明の第３好適態様であって、それぞれは本発明の変形態様のアクチュエーター部と組合わされた一体型変形筒型ストッパーの形状を示す模式的縦断面図又は模式的側面見取り図である。即ち、図９(Ａ)は前記の一体化部材が冠装された状態を示す模式的縦断面図、図９(Ｂ)は横噴射型の変形アクチュエーター部が組合された一体型部材の模式的側面見取り図及び図９(Ｃ)は集中排出型の変形アクチュエータ部が組合わされた一体型部材の模式的側面見取り図をそれぞれ示す。
【図１０】図１０で統括される各態様は本発明の第４好適態様であって、図１０(Ａ)は紙クリップ型変形ストッパーの模式的平面図、図１０(Ｂ)は鈎型に曲込まれた部分の一方が他方に設けられた誘導切込み内に嵌入された態様の模式的平面図及び図１０(Ｃ)は前記の嵌入構造をその長径方向から見た模式的見取り図である。
【図１１】図１１で統括される各態様は本発明の第５好適態様であって、先行の各態様における係合関係を逆転させた態様の例示である。図１１(Ａ)は第２変形接続筒部材外壁から突設された嵌入用係止爪が変形環状ストッパー外環部に穿設された係止用透孔へ嵌入していると共に、変形環状ストッパーの頂縁から突設された誤作動阻止突部がアクチュエーターのフランジ部下面に当接した状態を示す模式的見取り図、図１１(Ｂ)は前記の変形係合態様で形成された組合せ体の模式的正面図(模式的側面図)及び図１１(Ｃ)は上記の変形係合態様を略水平面(図中では「線Ｂ−Ｂ」)で切断して現れる模式的横断面図である。
【符号の説明】
１    流体容器
２    接続筒部材
３    アクチュエーター
４    環状ストッパー
５    筒型ストッパー
６    一体型アクチュエーター・ストッパー(一体型SA部材)
７    クリップ型変形ストッパー
４１    環状ストッパー内周から内向けに突設された係止爪
４２    脱離用摘み(直立型)
４３    環状ストッパーの外環部に穿設された係止用透孔(嵌入用係止孔)
５１    一体型SA部材の脱離用摘み
５２    一体型SA部材の切込み
５３    一体型SA部材の脱離用舌片
５４    一体型SA部材の天板部兼フランジ部
６１    一体型SA部材の筒型ストッパー部における脱離用摘み
６２    一体型SA部材の筒型ストッパー部における切込み
６３    一体型SA部材の筒型ストッパー部における脱離用舌片
６４    一体型SA部材の筒型ストッパー部における天板部
７１    クリップ型変形環状ストッパーの係止爪
１h    流体容器の流体収容部
１m    流体容器の開口
１n    流体容器の頚部
２c    接続筒部材に設けられた係止用透孔
２d    接続筒部材下半部
２g    接続筒部材外壁に刻設された案内縦溝
２i    接続筒部材内壁
２r    接続筒部材内壁から突設された環状突条
２u    接続筒部材上半部
３b    アクチュエーターの基筒部
３c    アクチュエーター内部の流通管部
３f    アクチュエーターのフランジ部
３x    アクチュエーター先端の排出口
３z    アクチュエーターの排出外筒部
４h    環状ストッパーの外環部内壁から突出した把持片
４t    環状ストッパーの上端縁
４v    変形環状ストッパー
４x    環状ストッパーの外環部
５b    筒型ストッパーの内壁下端の内向け突部(アンダーカット)
５d    筒型ストッパーの内壁下端
５u    筒型ストッパー５内壁下端の内向け突部の上面
６a    一体型SA部材におけるアクチュエーター部
６c    一体型SA部材におけるアクチュエーター部内を貫通する流通管部
６d    一体型SA部材における筒型ストッパー部の下端縁
６f    一体型SA部材におけるアクチュエーター部におけるフランジ部
６s    一体型SA部材における筒型ストッパー部
６x    横噴射型アクチュエーターの噴出口
７b    クリップ型変形環状ストッパーの外環部から長径側への陥入域(総称)
７h    クリップ型変形環状ストッパーの外環部内壁から突出した把持片
７i    クリップ型変形環状ストッパーの外環部から長径側への陥入域の何れかに切込まれた誘導切込み
７w    クリップ型変形環状ストッパーの外環部
２v1    第１変形接続筒部材
２v2    第２変形接続筒部材
７w1,2    クリップ型変形環状ストッパーの外環部から長径側への陥入域の末端
２１v2    第２変形接続筒部材外壁から突設された嵌入用係止爪
４vg    変形環状ストッパーに刻設された案内縦溝
４vu    変形環状ストッパー頂縁から突設された誤作動防止突部
６x1    横排出部材
４vx    変形環状ストッパーの外環部
２v2de    第１変形接続筒部材の下端
Ｇ    環状ガスケット
Ｐ    流体排出ポンプ
Ｐd    流体排出ポンプの脚管部
Ｐf    流体排出ポンプの下部フランジ部
【図１】
0004498510.tif 000002
【図２】
0004498510.tif 000003
【図３】
0004498510.tif 000004
【図４】
0004498510.tif 000005
【図５】
0004498510.tif 000006
【図６】
0004498510.tif 000007
【図７】
0004498510.tif 000008
【図８】
0004498510.tif 000009
【図９】
0004498510.tif 000010
【図１０】
0004498510.tif 000011
【図１１】
0004498510.tif 000012